(57)【要約】      （修正有）【課題】シリーズ予約が望まれる番組について、録画し損なうことを抑止可能なシリーズ番組録画予約装置及び方法を提供する。【解決手段】記録再生装置は、番組を単位として保持する情報記録部と、番組表を取得する番組表取得部と、番組表に対応する表示出力を出力する番組表出力処理部と番組表の任意の番組名が選択され決定されたとき、チャンネル、放送時間帯を含む番組情報と、シリーズ予約を行なうための「シリーズ予約」選択項目、通常録画予約を行なうための「登録」選択項目を画面に表示する個別番組情報出力部と、「シリーズ予約」選択項目が選択されたとき、シリーズ予約の情報として予約テーブルに登録する自動登録部と、シリーズ録画機能によって自動録画された一連の再生可能なタイトルを一括して一覧表示するための一覧出力部と、自動登録部に登録されたシリーズ予約の情報に従って番組を記録する録画時管理情報制御部を含む。【選択図】図１
2007104048.tif 000002
【特許請求の範囲】
【請求項１】
番組を、その番組を単位として保持する情報記録部と、
放送波あるいはネットワークを介して送られてくる番組表を取得する番組表取得部と、
前記番組表に対応する表示出力を出力する番組表出力処理部と、
前記番組表の任意の番組名が選択され決定された場合、その番組に関するチャンネル、放送時間帯を含む番組情報と、シリーズ予約を行なうための「シリーズ予約」選択項目、通常録画予約を行なうための「登録」選択項目を画面に表示する個別番組情報出力部と、
前記「シリーズ予約」選択項目が選択され決定されたとき、前記番組情報をシリーズ予約の情報として自動的に録画予約テーブルに登録する自動登録部と、
シリーズ録画機能によって自動録画された一連の再生可能なタイトルを、一括して一覧表示するための表示出力を出力する一覧出力部と、
前記自動登録部に登録された前記シリーズ予約の情報に従って前記情報記録部に番組を記録する録画時管理情報制御部と、
を有することを特徴とする記録再生装置。
【請求項２】
前記一覧出力部は、モニタ装置に表示され、あるいは外部装置に表示可能に出力される前記表示出力に、前記自動登録部に登録されている情報、前記再生可能なタイトル、シリーズ自動録画機能による録画中のタイトル、録画予約済であるものの録画実行前のタイトルを一括して出力可能であることを特徴とする請求項１記載の記録再生装置。
【請求項３】
前記一覧出力部は、モニタ装置に表示され、あるいは外部装置に表示可能に出力される前記表示出力に、前記自動登録部に登録されている情報、前記再生可能なタイトル、シリーズ自動録画機能による録画中のタイトル、録画予約済であって録画動作が開始されたものの、録画が完了できなかったタイトルを一括して出力可能であることを特徴とする請求項１記載の記録再生装置。
【請求項４】
前記一覧出力部は、モニタ装置に表示され、あるいは外部装置に表示可能に出力される前記表示出力に、前記自動登録部に登録されている情報、前記再生可能なタイトル、シリーズ自動録画機能による録画中のタイトル、録画予約済であったものの録画動作が開始されなかったタイトルを一括して出力可能であることを特徴とする請求項１記載の記録再生装置。
【請求項５】
前記一覧出力部からモニタ装置に表示され、あるいは外部装置に表示可能に出力される前記表示出力に、録画予約済であるものの録画実行前のタイトル、録画予約済であって録画動作が開始されたものの、録画が完了できなかったタイトル、録画予約済であったものの録画動作が開始されなかったタイトルの区別を、文字列や小画像により識別して出力可能であることを特徴とする請求項２ないし４のいずれかに記載の記録再生装置。
【請求項６】
前記自動登録部により登録されている情報に、前記番組表上において見つけられた同シリーズの別のタイトルを、そのまま予約登録可能とする予約追加処理部＜（３５ｃ）＞をさらに有することを特徴とする請求項２ないし４のいずれかに記載の記録再生装置。
【請求項７】
前記自動登録部により登録されている情報に対し、前記番組表上において見つけられた同シリーズの別のタイトルへの変更、削除の指示を入力可能な予約追加処理部をさらに有することを特徴とする請求項２ないし４のいずれかに記載の記録再生装置。
【発明の詳細な説明】
【技術分野】
【０００１】
この発明は、記録再生装置のシリーズ番組録画予約装置及び方法に関するもので、特に、ユーザによるシリーズ番組の録画予約操作処理が簡単に行なえるとともに、またシリーズ番組の録画予約操作を分かりやすくした技術に関する。
【背景技術】
【０００２】
近年、ハードディスクドライブ（ＨＤＤ）、ＤＶＤ（デジタルバーサタイルディスク）などの記録媒体に関して記録容量の向上が得られ、これらの記録媒体を用いた記録再生装置では、多くの番組を予約録画可能である。
【０００３】
現在では、放送方式として、地上アナログ放送、地上デジタル放送、衛星アナログ放送、衛星デジタル放送など、各種の放送方式が実現化されている。このような環境の中にあって、同一内容の番組が異なる放送方式で放映されることもある。また、同じ放送方式であっても、異なる時間帯（日時）に、同一内容の番組が再放送されることも多い。
【０００４】
また番組によっては、例えば、毎週日曜日の午後８時から、放送されるシリーズ番組の形態がある。シリーズ番組としては、連続ドラマあるいは連続して放送される娯楽番組、アニメーション番組などがある。ユーザは、シリーズ番組に興味をもつと、その番組を連続して録画すること、すなわちシリーズ録画を希望することがある。
【０００５】
シリーズ番組を録画する装置として、例えば特許文献１に記載されたものがある。この文献１では、番組ガイド表を利用した、番組録画予約が実行されたときに、当該番組がシリーズ番組であるかどうかを判定している。なお、シリーズ番組であることが判定されたときは、シリーズ番組の録画予約（以下シリーズ予約と称する）を設定するかどうかを、画面を通じて問い合わせる。そして、シリーズ予約が設定されたときは、録画予約された番組とシリーズ関係にある番組の録画予約を設定する。
【０００６】
また、シリーズコンテンツ（番組）の録画／再生のために、例えばシリーズＩＤ、エピソード番号（話数／回数）、録画ステータス等を含むシリーズ管理テーブルを有し、同じシリーズＩＤのものについて、それを１つとして一覧表示するとともに、エピソード番号毎に記録済かどうかを判定し、未録画のエピソード番号の番組を録画予約するものが提案されている（例えば特許文献２）。
【特許文献１】特開２００３−８７６７５
【特許文献２】特開２００４−３４３５２０
【発明の開示】
【発明が解決しようとする課題】
【０００７】
特許文献１に示された技術は、記録再生装置が、録画予約された番組がシリーズ番組かどうかを判断し、記録再生措置がユーザにシリーズ番組のシリーズ予約を設定するかどうかを問い合わせる手法である。
【０００８】
しかし、ユーザの多くは、録画予約を希望している番組が予めシリーズ番組であることを認識しており、シリーズ予約を直接行なうことを希望する場合が通常である。
【０００９】
シリーズ予約が望まれる番組は、そのうちの１つ以上の録画の失敗（停電や装置のトラブルを含む）や別の録画予約との重複等により録画し損なう（録画の失敗がある）ことは、ユーザの視聴意欲を損なうのみならず、購入した装置およびメーカに対する不信感を抱かせる問題がある。
【００１０】
また、再放送や異なる放送形式で放送される同一の番組を記録容量の許す限り録画することは、視聴（再生）しようとするユーザに対して、番組（録画結果）のチェックや途中までの再生等の点で、多くの時間を消費させる問題がある。
【００１１】
なお、文献１には、再放送や異なる形式で放送される同一の番組の録画予約の重複防止に関する記載は、見当たらない。
【００１２】
一方、文献２には、エピソード番号毎に、記録済かどうかを判断することは記載があるが、再放送や異なる形式で放送される同一の番組の録画予約の重複防止に関する記載は、見当たらない。
【００１３】
この発明の目的は、シリーズ予約が望まれる番組について、その録画の失敗や別の録画予約との重複等により録画し損なうことを抑止可能で、記録装置の記録容量をいたずらに浪費することのない、記録再生装置のシリーズ番組録画予約装置及び方法を提供することである。
【課題を解決するための手段】
【００１４】
この発明は、番組を、その番組を単位として保持する情報記録部と、放送波あるいはネットワークを介して送られてくる番組表を取得する番組表取得部と、前記番組表に対応する表示出力を出力する番組表出力処理部と、前記番組表の任意の番組名が選択され決定された場合、その番組に関するチャンネル、放送時間帯を含む番組情報と、シリーズ予約を行なうための「シリーズ予約」選択項目、通常録画予約を行なうための「登録」選択項目を画面に表示する個別番組情報出力部と、前記「シリーズ予約」選択項目が選択され決定されたとき、前記番組情報をシリーズ予約の情報として自動的に録画予約テーブルに登録する自動登録部と、シリーズ録画機能によって自動録画された一連の再生可能なタイトルを、一括して一覧表示するための表示出力を出力する一覧出力部と、前記自動登録部に登録された前記シリーズ予約の情報に従って前記情報記録部に番組を記録する録画時管理情報制御部と、を有することを特徴とする記録再生装置を提供するものである。
【発明の効果】
【００１５】
この発明の記録再生装置においては、シリーズ予約が望まれる番組について、その録画の失敗や別の録画予約との重複等により録画し損なうことを抑止可能で、記録装置の記録容量をいたずらに浪費することがない。従って、特に１タイトルでも欠落（録画の失敗、停電や装置のトラブルを含む）した場合、ユーザの視聴意欲を損なうことの多いシリーズ番組を、確実に記録できる。
【発明を実施するための最良の形態】
【００１６】
以下、図面を参照してこの発明の実施の形態を詳細に説明する。
【００１７】
なお、本発明による記録再生装置には、たとえばパーソナルコンピュータ（ＰＣ）なども該当し、記録メディア（記録媒体）に記録される情報としては、ドキュメント情報などであってもよいことはいうまでもない。また、発明の実施形態としては、ディジタルビデオレコーダを例に説明する。
【００１８】
図１は、この発明を適用した記録再生装置の実施の一形態を示す。
【００１９】
図１の記録再生装置においては、記録媒体として、ハードディスクドライブ（ＨＤＤ）に内装されたハードディスクとＤＶＤ規格の光ディスクとが設けられた例を説明するが、ハードディスクあるいはＤＶＤ等の光ディスク等に代えて、例えば半導体メモリ（メモリカード）を記録媒体とすることも可能である。
【００２０】
図１に示す記録再生装置（ビデオレコーダ）１は、例えばＤＶＤ規格の光ディスクＭにビデオファイルを構築できるディスクドライブ部１００１を有する。光ディスクＭは、例えばＣＤ規格であってもよく、あるいは現行のＤＶＤ規格の光ディスクに比較してさらに記録容量が高められているＨＤ（High Density）  ＤＶＤやBlue-Ray （ブルーレイ）ディスクであってもよいことはいうまでもない。
【００２１】
ディスクドライブ部１００１は、詳述しないが、光ディスクＭを所定速度で回転させる回転制御系、光ディスクＭの記録面に情報を記録し、あるいは光ディスクＭに記録されている情報を再生するための所定波長のレーザ光を照射するレーザ駆動系およびそのレーザ光を案内するレーザ光学系などを有する。
【００２２】
記録再生装置（ビデオレコーダ）１はまた、ハードディスク装置（以下、ＨＤＤと示す）２００１に収容されているハードディスクＨＤに対しても、同様にビデオファイルを構築できる。
【００２３】
ディスクドライブ部１００１に装填された光ディスクＭまたはＨＤＤ２００１のハードディスクＨＤに記録すべきデータ（記録データ）は、データプロセッサ部１０１の制御により、（予め指定された）記録媒体（光ディスクＭあるいはハードディスクＨＤ）に記録される。また、データプロセッサ部１０１の制御により、ディスクドライブ部１００１の光ディスクＭまたはＨＤＤ２００１のハードディスクＨＤから、記録されているデータが読み出される（再生データが得られる）。
【００２４】
データプロセッサ部１０１は、記録データまたは再生データを、所定の単位として取り扱うもので、バッファ回路、変調・復調回路、エラー訂正部などを含む。
【００２５】
記録再生装置１はまた、入力情報を記録するためのデータ処理部であるエンコーダ部５０と、既に記録されているデータを再生するデータ処理部であるデコーダ部６０と、記録再生装置１の動作を制御するマイクロコンピュータブロック３０とを、主要部として、有する。
【００２６】
エンコーダ部５０は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００２７】
エンコーダ部５０の出力は、バッファメモリを含むフォーマッタ５１にて所定のＤＶＤ−ＲＡＭのフォーマットに変換され、先のデータプロセッサ部１０１に供給される。
【００２８】
エンコーダ部５０には、セレクタ４０を介して、ＡＶ入力部４１ａからの外部アナログビデオ信号と外部アナログオーディオ信号が入力可能である。また、エンコーダ部５０には、地上波アナログチューナ４１ｃ、地上波デジタルチューナ４１ｃ、衛星ＢＳ／ＣＳチューナ４１ｄ、あるいは衛星アナログチューナ４１ｅからの受信信号が選択的に入力可能である。また、エンコーダ部５０で複数のデコーダが活用される場合、地上波デジタルチューナ４１ｃで受信した番組がハードディスクドライブ部２００１で録画され、同時に、衛星ＢＳ／ＣＳチューナ４１ｄで受信した番組を視聴することも可能である。
【００２９】
なお、エンコーダ部５０は、圧縮されたデジタルビデオ信号やデジタルオーディオ信号が、直接入力される場合は、その圧縮デジタルビデオ信号やデジタルオーディオ信号を、フォーマッタ５１に、直接供給することもできる。また、エンコーダ部５０は、アナログデジタル変換されたデジタルビデオ信号やオーディオ信号を、ビデオミキシング部７１やオーディオセレクタ７６に、直接供給することもできる。
【００３０】
エンコーダ部５０は、図示しないがビデオエンコーダを含み、そのビデオエンコーダにおいて、デジタルビデオ信号が、例えばＭＰＥＧ２またはＭＰＥＧ１規格に基づいた可変ビットレートで圧縮されたデジタルビデオ信号に変換される。
【００３１】
なお、エンコーダ部５０は、静止画像を録画する場合、ＤＶＤ録画規格（ＤＶＤ  ＶＲ規格）に基づいた静止画像の録画に際しては、ＭＰＥＧ規格で圧縮されたデジタルビデオ信号（ＭＰＥＧのＩ＿Ｐｉｃｔｕｒｅ）形式とするが、その他にＪＰＥＧ規格に基づいて圧縮されたデジタルビデオ信号を生成することもできる。
【００３２】
また、デジタルオーディオ信号は、例えばＭＰＥＧあるいはＡＣ−３規格に基づいて固定ビットレートで圧縮されたデジタルオーディオ信号、もしくはリニアＰＣＭなどの（非圧縮の）デジタルオーディオ信号に変換される。
【００３３】
副映像信号については、ＡＶ（オーディオ・ビデオ）入力部４１を経由して、（副映像信号が）直接入力される場合（例えば、副映像信号向けの独立した出力端子が設けられているビデオプレーヤからの信号など）、あるいは同等のデータ構成のＤＶＤビデオ信号の放送信号がセレクタ４０を介して（任意のチューナから）入力されることで、ＤＶＤビデオ信号中の副映像信号が、副映像エンコーダでエンコード（ランレングス符号化）されて、副映像のビットマップ（副映像データ）が構築される。
【００３４】
エンコードされたデジタルビデオ信号、デジタルオーディオ信号ならびに副映像データは、フォーマッタ５１において、ビデオパック、オーディオパックおよび副映像パックとしてパック化される。パック化された、ビデオパック、オーディオパックならびに副映像パックは、さらに集合（集約）され、ＤＶＤ−ビデオ規格に規定されているフォーマット（ＤＶＤ  Ｖｉｄｅｏフォーマット）や、ＤＶＤ−レコーディング規格に規定されているフォーマット（ＤＶＤ  ＶＲフォーマット）に変換される。また、静止画像の録画時は、ＪＰＥＧで規定されたフォーマットに変換されてもよいことはいうまでもない。
【００３５】
フォーマッタ５１でフォーマットされた情報（ビデオ、オーディオ、副映像データなどのパック）は、データプロセッサ部１０１を介してＨＤＤ２００１またはディスクドライブ部１００１に供給され、ハードディスクＨＤまたは光ディスクＭに記録することができる。なお、ハードディスクＨＤあるいは光ディスクＭに記録された情報は、データプロセッサ部１０１を介して、相互に置き換えまたは複製可能である。すなわち、既にハードディスクＨＤに記録されているデータは、光ディスクＭに移動または複製可能で、光ディスクＭに記録されているデータも、ハードディスクＨＤに移動または複製可能である。
【００３６】
また、ハードディスクＨＤあるいは光ディスクＭに記録されているデータ、例えば番組のビデオオブジェクトは、一部または全部の削除や任意数のオブジェクトの合成（接続）という、編集処理も可能である。これは、本発明にかかるフォーマットが取り扱うデータ単位を定義し、編集を容易にしているからである。
【００３７】
マイクロコンピュータブロック３０は、図示しないがＭＰＵ（マイクロプロセッシングユニット）、またはＣＰＵ（セントラルプロセッシングユニット）と制御プログラム等が書きこまれたＲＯＭと、プログラム実行に必要なワークエリアを提供するためのＲＡＭとを含む。また、マイクロコンピュータブロック３０は、ネットワークインタフェース３９を介して詳述しない外部ネットワークに接続可能である。これにより、外部のサーバから電子番組案内情報（ＤＥＰＧ：Dynamic Electronic Program Guide）を、取り込むことができる。
【００３８】
マイクロコンピュータブロック３０のＭＰＵは、ＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００３９】
また、マイクロコンピュータブロック３０は、装置の各ブロックを統括して制御するために必要な情報処理部、ワークＲＡＭ３１、ディレクトリ検出部３２、ＶＭＧ（ビデオ管理情報）作成部、コピー関連情報検知部、コピー及びスクランブリング情報処理部（ＲＤＩ処理部）、パケットヘッダ処理部、シーケンスヘッダ処理部、アスペクト比情報処理部等を含む。
【００４０】
マイクロコンピュータブロック３０はまた、録画を実行する際の管理情報の制御部３４と、編集を実行する際の管理情報の制御部３３を有する。
【００４１】
なお、マイクロコンピュータブロック３０には、シリーズ番組予約・録画制御部３５、ＧＵＩ（グラフィックユーザインタフェース）画面制御部３６が設けられている。このシリーズ番組予約・録画制御部３５、ＧＵＩ（グラフィックユーザインタフェース）画面制御部３６の動作については、さらにあとで詳しく説明することにする。
【００４２】
ＭＰＵの実行結果のうち、ユーザに通知すべき内容は、映像データ記録再生装置の表示部４３に表示されるか、または外部装置として接続されるモニタディスプレイにＯＳＤ（オンスクリーンディスプレイ）表示される。
【００４３】
マイクロコンピュータブロック３０は、装置を動作させるためのユーザ指示、すなわちユーザにより操作信号が入力されるキー入力部４４を有する。キー入力部４４は、例えば記録再生装置の本体上に設けた操作スイッチ類や、あるいはリモートコントローラなどに相当する。また、記録再生装置と有線通信あるいは無線通信あるいは光通信や赤外線通信などの手段を用いて接続されたパーソナルコンピュータであってもよい。いずれの形態であるにせよ、ユーザがこのキー入力部４４を操作することにより、入力された映像音声信号の録画処理や、録画されたコンテンツの再生処理、あるいは録画されたコンテンツに対する編集処理等を実行可能である。
【００４４】
なお、マイクロコンピュータブロック３０が、ディスクドライブ部１００１、ハードディスクドライブ部２００１、データプロセッサ部１０１、エンコーダ部５０及び／またはデコーダ部６０などを制御するタイミングは、ＳＴＣ（システムタイムクロック）３８からの時間データに基づいて実行することができる。録画や再生の動作は、通常はＳＴＣ３８からのタイムクロックに同期して実行されるが、それ以外の処理はＳＴＣ３８とは独立したタイミングで実行されてもよい。
【００４５】
デコーダ部６０は、周知のパック構造を含むＤＶＤフォーマットの信号から各パックを分離して取り出すセパレータと、パック分離やその他の信号処理実行時に使用するメモリと、セパレータで分離された主映像データ（ビデオパックの内容）をデコードするＶ（Video）デコーダと、セパレータで分離された副映像データ（副映像パックの内容）をデコードするＳＰデコーダと、セパレータで分離されたオーディオデータ（オーディオパックの内容）をデコードするＡ（Audio）デコーダとを有する。
【００４６】
デコーダ部６０には、図示しないが、デコードされた主映像にデコードされた副映像を適宜合成し、主映像にメニュー、ハイライトボタン、字幕やその他の副映像を重ねて出力するビデオプロセッサが組み込まれている。
【００４７】
デコーダ部６０の出力ビデオ信号は、ビデオミキシング部７１に入力される。ビデオミキシング部７１では、例えばテキストデータが合成される。また、ビデオミキシング部７１には、個々のチューナや、ＡＶ入力部４１ａからの信号を直接取り込むライン（外部／補助入力）も接続されている。なお、ビデオミキシング部７１には、バッファとして用いるフレームメモリ７２が接続されている。ビデオミキシング部７１の出力がアナログ出力の場合はＩ／Ｆ（インタフェース）７３を介して外部に出力され、デジタル出力の場合はデジタルアナログ変換器７４を介して外部へ出力される。
【００４８】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これによりセレクタ７６は、ＴＶチューナやＡＶ入力部４１ａからのデジタル信号を直接モニタする時、エンコーダ部５０をスルーした信号を直接選択することも可能である。
【００４９】
なお、エンコーダ部５０のフォーマッタでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのＩピクチャのエンドアドレス、ＶＯＢＵの再生時間などである。
【００５０】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００５１】
また本装置では、ＤＶＤに記録するビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００５２】
データプロセッサ部１０１は、エンコーダ部５０のフォーマッタからＶＯＢＵ単位のデータを受け取り、ＣＤＡ単位のデータをディスクドライブ部１００１あるいはハードディスクドライブ部２００１に供給している。またマイクロコンピュータブロック３０のＭＰＵは、記録したデータを再生するのに必要な管理情報を作成し、データ記録終了のコマンドを認識すると、作成した管理情報をデータプロセッサ部１０１に送る。これにより、管理情報がディスクに記録される。従って、エンコードが行われているとき、エンコーダ部５０からマイクロコンピュータブロック３０のＭＰＵは、データ単位の情報（切り分け情報など）を受け取る。また、マイクロコンピュータブロック３０のＭＰＵは、記録開始時には光ディスク及びハードディスクから読み取った管理情報（ファイルシステム）を認識し、各ディスクの未記録エリアを認識し、データ上の記録エリアを、データプロセッサ部１０１を介してディスクに設定している。
【００５３】
図２には、リモートコントローラ２０の概観を示している。主な操作キーを説明する。２０ａは、電源をオンオフするための電源キーであり、２０ｂは、トップメニュー画面を表示させるためのトップメニューキーである。メニューキー２０ｃは、例えばＤＶＤなどの媒体に記録されているメニューを表示させときに操作する操作キーである。２０ＵＰ，２０ＤＮ，２０Ｒ，２０Ｌは、カーソルをそれぞれ上、下、右、左に移動させるためのカーソル移動キーであり、２０Ｅは、決定キーである。
【００５４】
次に、本装置におけるシリーズ予約に関する特徴的な構成及び動作について説明する。
【００５５】
トップメニューキー２０ｂが操作されると、画面制御部３６の制御の下で、図３に示すような案内画面が外部に接続されるモニタに表示される（あるいは図示しない外部出力端に接続されるモニタ装置が表示可能な映像出力が出力される）。
【００５６】
図３に示す番組ナビ（メインメニュー）画面には、例えば、「番組表」、「録画予約一覧」、「Ｍｙジャンル番組リスト」、「おすすめサービス」、「お気に入り番組リスト」および「シリーズ番組リスト」等、が表示される。
【００５７】
図３の番組ナビ（メインメニュー）画面が表示された状態でリモートコントローラ２０のカーソルキーの操作により、例えば「番組表」が選択され、決定ボタン２０Ｅを介してオン信号（または対応するコマンド）が入力されると、図４に示すような番組ナビ（全チャンネル一覧）画面が表示される。図４の番組ナビ（全チャンネル一覧）画面では、放送日、時間帯、番組が放送される放送方式及びチャンネル、各時間帯の番組名のリストが表示される。
【００５８】
図４の番組ナビ（全チャンネル一覧）画面において、リモートコントローラ２０のカーソルキーの操作により、例えば「地球食材大紀行（その１２３）」と言う番組名が選択され、決定ボタン２０Ｅがオンされた場合、図５に示すような録画予約画面＜番組ナビ（録画予約）＞画面が表示される。
【００５９】
図５の録画予約画面では、予約番組に関する番組名、放送時間等が表示される。なお、画面（表示）の下方には、「シリーズ予約」を設定するかどうかを入力可能な『シリーズ予約にする』表示と『予約キャンセル』表示、が表示される。
【００６０】
図５の番組ナビ（録画予約）画面において、リモートコントローラ２０のカーソルキーの操作により、例えば『シリーズ予約にする』が選択された後、決定ボタン２０Ｅがオンされると、図６に示すような番組ナビ（おまかせ自動録画設定一覧）画面が表示される。
【００６１】
図６の番組ナビ（おまかせ自動録画設定一覧）画面においては、既に自動録画が設定されているセット／シリーズ名と、未設定の領域（さらに自動録画を設定可能なセット／シリーズの設定を受けいれる画面）が表示される。なお、図６に示す画面では、「お気に入りセット１」、「お気に入りセット２」、「お気に入りセット３」、「シリーズ予約３」および「シリーズ予約２」がセットされている状態を示している。
【００６２】
図６に示す画面において、リモートコントローラ２０のカーソルキー２０Ｒ，２０Ｌ，２０ＵＰ，２０ＤＮの操作により「未設定の領域」が特定され、決定ボタン２０Ｅがオンされることで、図７に示す番組ナビ（おまかせ自動録画設定）画面の以下に説明する表示枠に、図４において特定された番組名とその情報が、そのまま転送される。図７に示す例では、「地球食材紀行」という（シリーズ）番組名が、キーワードとしてキーワード欄の最上段（「または」の欄）に入力される。なお、キーワード欄の中段（「を含み」の欄）および下段（「を含まない」の欄）は、空欄のままである。
【００６３】
キーワード欄の中段および下段には、ユーザにより、第２キーワードと第３キーワードとを追加できる（手動／マニュアル操作）。なお、キーワードとしては、番組名に用いられている文字列を特定して、「○○を含み」キーワードと「××を含まない」キーワードとを設定することができる。
【００６４】
なお、図７に示す画面の表示例は、引き続くユーザの操作によって、キーワード欄の最上段（「または」の欄）が『地球食材』に編集され、キーワード欄の中段（「を含み」の欄）が『大紀行』に編集（またはユーザにより入力）され、キーワード欄の下段（「を含まない」の欄）に『スペシャル』が（ユーザにより）入力された状態を示している。
【００６５】
すなわち、図７の番組ナビ（おまかせ自動録画設定）画面は、『地球食材大紀行』という番組名の任意数の番組を自動録画の予約登録の対象とするが、『地球食材大紀行スペシャル』という番組は自動録画の予約登録の対象から除外する録画予約が設定されたことを示している。
【００６６】
このようにして「シリーズ予約」が設定された番組については、図３に示した番組ナビ（メインメニュー）画面において、「シリーズ番組リスト」が選択された後、決定ボタン２０Ｅがオンされることで、図８に示すようなシリーズ選択画面として、その内容（シリーズ予約されているシリーズ予約の数）が、例えば現在表示されている画面に重ねられて（ウインドウ）表示される。
【００６７】
図８に示したシリーズ選択画面によれば、「シリーズ予約」「が３つ存在する（シリーズ予約が登録されている）ことが分かる。例えば「シリーズ予約１」の位置にリモートコントローラ２０のカーソル移動キー２０ＵＰ，２０ＤＮ，２０Ｒ，２０Ｌの操作によりカーソルが移動され、決定ボタン２０Ｅがオンされることで、図９に示すような番組ナビ（シリーズ録画履歴）画面が表示される。
【００６８】
図９に示す番組ナビ（シリーズ録画履歴）画面においては、「シリーズ予約」されているシリーズ番組のうちの選択されたグループのシリーズ予約（この例では「シリーズ予約１」）の内容、すなわちシリーズ予約されている「番組名」、「シリーズ予約」されている（１つのシリーズの）番組の件数、そのうちの既に録画が終了した件数およびこれから録画される（録画予約状態の）番組の件数、放送方式及びチャンネル、予約日時等が表示される。なお、図９に示した番組ナビ（シリーズ録画履歴）画面において表示される項目としては、予約登録された番組の番組名（サブタイトルがある場合は、それを含む）、録画された日時、録画された番組の大きさ（時間／放送時間）、録画（記録／保存）先、あるいは「備考」等を含む。
【００６９】
例えば、「備考」においては、既に録画されている番組（話数／回数）と同一の番組、すなわち再放送であることや、例えば停電等により録画できなかった番組（話数／回数）等が表示される。
【００７０】
一方、「記録先」においては、ＨＤＤ内のハードディスクであることを示す［ＨＤＤ］表示や光ディスクであることを示す［Ｄｍｎ，ｍｎは管理番号等］が表示される。なお、「記録先」においては、例えば現在録画中であることや、予約済みであることも表示される。
【００７１】
図９を参照すると、「地球食材大紀行（その１）」〜「地球食材大紀行（その９）」までが少なくとも「シリーズ予約」の対象であり、「地球食材大紀行（その１）」の［再放送］については、録画せず、「地球食材大紀行（その３）」の録画は、停電等により失敗であったことが表示されている。なお、［再放送］であるか否かは、ＥＰＧあるいは番組供給元からのデータに対して［再放送］を示すコードあるいは符号もしくは識別子が用意されている場合と番組コード（シリーズＩＤ／話数／回数）のみが情報として提供される場合とのいずれによっても、認識可能に設定されている（図２０により後段に詳細に説明するシリーズ番組予約録画制御部３５）。
【００７２】
また、図９に示されるとおり、「シリーズ予約」機能（自動録画機能）により「地球食材大紀行（その９）」が放送されることがＥＰＧから検索され、予約済みとして予約登録される。なお、「地球食材大紀行（その３）」は、再放送が放送されることが（ＥＰＧにより）検索された時点で予約登録される。
【００７３】
図１０は、「自動録画」および「シリーズ予約」のためにＥＰＧ（ＤＥＰＧ）から取得されるデータの一例を示す。
【００７４】
例えば、ＥＰＧとして供給されるデータの項目としては、「ｃｈ（チャンネル）」，「番組開始日時」，「番組終了日時」，「番組タイトル」，「番組サブタイトル（話数／回数）」，「出演者」，「ジャンル」あるいは「番組説明」等がある。
【００７５】
また、それぞれの項目の内容としては、    
「ｃｈ」として            ［チャンネルを特定するＩＤ］，    
「番組開始日時」として    ［年／月／日／時／分］，    
「番組終了日時」として    ［年／月／日／時／分］，    
「番組タイトル」として    ［文字列］，    
「番組サブタイトル」として［文字列］，    
「出演者」として          ［文字列］，    
「ジャンル」として        ［ジャンルコード（ＥＰＧにより規定される）］，    
「番組説明」として        ［文字列］    
等が用いられる。
【００７６】
図１１は、図１０に示したＥＰＧからのデータを「シリーズ予約」のために保持する例（録画タイトル情報＜シリーズ録画＞）を示す。
【００７７】
図１１に示すように、録画タイトル情報＜シリーズ録画＞としては、例えば、図１０により説明したＥＰＧから取得する各項目のデータである「ｃｈ（チャンネル）」，「番組開始日時」，「番組終了日時」，「番組タイトル」，「番組サブタイトル（話数／回数）」，「出演者」，「ジャンル」および「番組説明」に加えて、「シリーズ録画タイトル」と「録画状態」等がある。
【００７８】
また、それぞれの項目の内容としては、図１０に示したＥＰＧから取得する項目に加えて、    
「シリーズ録画タイトル」として［コジラ（文字列）］，    
「録画状態」として            ［録画済／予約済／失敗］    
等が用いられる。
【００７９】
図１２は、図９に示した番組ナビ（シリーズ録画履歴）画面の表示方法すなわち「番組タイトル」の状態遷移を模式的示す。
【００８０】
先ず、シリーズ予約、すなわち録画予約（予約登録）がない「未選択状態」において、自動予約機能（プログラムまたはファームウエア）が起動され、シリーズ録画条件が設定される（Ｓ０１）。
【００８１】
続いて、ＥＰＧから番組情報が取得され、シリーズ録画条件を満たす番組の「シリーズ録画予約状態」が保持される（Ｓ０２）。
【００８２】
以下、録画時刻が到来することで、シリーズ録画条件を満たす番組が録画される（Ｓ０３）。
【００８３】
シリーズ録画条件を満たす番組の録画が完了すると、「録画タイトル再生可能状態」が一定条件の間、例えば主電源がオフされるまで（もしくは削除されるまで）、維持される（Ｓ０４）。
【００８４】
一方、録画時刻が到来したにもかかわらず、各種制約、例えば優先度あるいは再放送との識別エラー等の要因により録画が未実施であった場合、もしくは録画開始後の停電等により録画が完了しなかった場合は、録画失敗としてそのデータ（録画失敗を示すデータ）が保持される（Ｓ０６）。
【００８５】
また、過去の録画履歴から同一内容（主として［再放送］）と判断された場合には、非録画状態となる（Ｓ０５）。
【００８６】
なお、ステップＳ０６において録画失敗として保持されたデータに従うとともに（ＥＰＧにより）再放送が放送されることが検索された時点で、新たに予約登録される。一方、ユーザにより特別に録画予約が入力されない場合においても、ステップＳ０２に従って、シリーズ録画条件を満たす番組の「シリーズ録画予約状態」、すなわち（ＥＰＧにより）放送予定が更新されて、次の回（話数）のタイトルが検索できた時点で、その番組が予約登録される。
【００８７】
なお、「シリーズ予約」が設定されている場合においても、ユーザによる手動の設定が優先されることはいうまでもない。例えば、図９に示した番組ナビ（シリーズ録画履歴）画面において、［優先度低］として録画されなかった「地球食材大紀行（その６）」に、カーソルが移動されて、予約登録されると、（ＥＰＧにより）再放送が放送されることが検索された時点で、新たに予約登録される。
【００８８】
あるいは、図９に示した番組ナビ（シリーズ録画履歴）画面において、［停電］として録画されなかった「地球食材大紀行（その３）」に、カーソルが移動されて、例えば［削除］が入力（指示）されると、ＥＰＧにより再放送が放送されることが検索された場合であっても、予約登録に追加されることはない。
【００８９】
なお、シリーズ予約が設定されている場合、図１３に示すように番組ナビ（録画予約一覧（ユーザ予約＋おまかせ自動予約）画面すなわち総ての予約登録を表示する画面においては、シリーズの条件設定で検索した結果であり、その“一部”が予約として登録されることを示す［シリーズ］マークが所定の位置に表示される。
【００９０】
図１４は、シリーズ番組予約・録画制御部３５の動作の概念を示している。
【００９１】
太い線で囲む部分のステップＳ１，Ｓ３，Ｓ７は、画面制御部３６を介してモニタ３００１に表示される内容が処理されるステップである。また点線で囲むステップＳ５，Ｓ９は、ユーザは画面上で見ることはできないが、制御部３５の制御のもとで、メモリに記憶されている内容が参照されて処理されるステップである。また四角で囲むステップＳ４，Ｓ６，Ｓ８は、装置内部でデータ処理が行われるステップである。ステップＳ１は、図４の画面に対応する。ステップＳ３は、図９の画面に対応する。又ステップＳ７は、図１３の画面に対応する。
【００９２】
ステップ２は、シリーズ予約がされたときに、予約条件（キーワード等）に合致する番組を検索するステップである。ステップ４は、予約一覧のテーブルに記載されている番組情報に無く、また過去の予約録画成功した番組情報にも無い、番組情報を検索し、判定するステップである。つまり、ここでは、同一シリーズの番組であるが、第１話、第２話、第３話、…と続くような番組であり、最も新しくて、番組内容が異なる番組を判定することになる。
【００９３】
ここでは、ユーザにとって新規であるとして判定された番組が検索されたとき、その既に予約されている番組の内容と内容の重複がないかどうかを判断している。つまり、再放送の番組であるかどうかを判定できることになる。放送時間帯が異なっても、既に録画されているドラマの第２話が再放送されることもあるので、このような番組は予約されない。上記の処理結果のデータ（ステップＳ５）が一時的に保持される。
【００９４】
このように、本放送の番組が予約されているのに、再放送の番組をシリーズ予約しては、無駄になるので、内容的に重複が無いように予約情報を設定する。
【００９５】
ステップＳ５における結果データには、既に予約や録画済みのものと番組“内容”が重ならないものがある。つまり、予約や録画済みの再放送番組もＳ５のデータには含まれない。例えば、録画済みドラマ第１話、予約済みドラマ第２話の場合、Ｓ５のデータにはドラマ第３話、ドラマ第３話[再]、ドラマ第４話、ドラマ第４話[再]、…、が入ることになる。
【００９６】
次にステップＳ６にてＳ５の同内容番組の重複予約をしないように予約を入れる。例えば、ドラマ第３話、ドラマ第４話[再]を予約登録する。ドラマ第４話が[再]の方を登録するのは、ドラマ第４話（本放送）の放送時間帯に別のチャンネルの手動予約が既に入っていたためである。
【００９７】
ステップＳ８においては、予約録画が成功したかどうかが判定され、成功した場合には、ステップＳ９において、過去の予約録画成功番組の情報がメモリ或いはディスクに保存される。この情報は、できるだけ多いほうがよいが、無制限ではなく、ある程度の保存容量になった場合には、過去の情報から削除される。
【００９８】
この発明に係る装置では、シリーズ予約している番組情報の一部あるいは全部を削除することが可能である。
【００９９】
図１５には、シリーズ予約している番組情報を削除、すなわち予約キャンセルに際して表示される画面の例を示している。まず、図１３で示した録画予約画面を表示した状態では、シリーズ予約されている番組情報の表示領域には、「シリーズ」という識別情報が表示される。したがって、ユーザは、シリーズ予約されている番組を容易に判別することができる。
【０１００】
ユーザによりリモートコントローラ２０のカーソルキーが操作されて、同一シリーズの番組情報の１つが特定されたとき、同予約のみを削除するのか、同一シリーズ予約の全部を削除するのかが、“問い合わせ（コメント）”によりチェックされる。
【０１０１】
図１５の例では、シリーズ予約全部を削除する例を示している。ここでは、シリーズ予約であること、同予約のみを削除するのか、同一シリーズ予約の全てを削除するのかのコメントが表示されている。例えば図１５の画面において、カーソルにより番組情報の領域（行）を選択し、リモートコントローラのクリアキー或いは削除キーを操作することにより、“問い合わせ（コメント）”が得られる。
【０１０２】
図１５の例は、削除に関するコメントであるが、設定変更に関しても“問い合わせコメント”が表示される。設定変更が行われる場合には、図１３の画面において、カーソルにより所望の番組情報の領域（行）を選択し、リモートコントローラ２０の決定キー２０Ｅがオンされることにより、問い合わせコメントが表示される、ここで、“同予約のみの変更”なのか、“同シリーズ全体での変更”なのか、を選択し、図５の画面に戻ることができる。
【０１０３】
ユーザにより、キーワードの変更、録画優先度の変更、画質の変更が指示された場合、変更入力後、カーソルにより「設定完了」のボタン（表示）が選択され、決定キー２０Ｅがオンされることで、確定（適用）される。
【０１０４】
録画優先度の情報としては、「非優先」、「優先」、「ふつう」もしくは「最優先」等を設定することができる。優先度の情報は、例えば、シリーズ予約の番組と同一時間帯に録画する別の番組が録画予約された場合、優先度の高いほうを優先して録画するために判定要素として利用される。
【０１０５】
さらにまた次のような機能も得ることができる。図５に示すような設定変更画面において、ユーザの設定変更項目に対して制限を与えることができる。この場合は、設定変更可能な入力領域と、設定不可能な入力領域とは、例えば色により識別される。
【０１０６】
例えば、キーワードの入力領域は、輝度が明るくなるが、番組の放送時間帯が示されている領域は、グレーとなり、自由な入力変更ができないことがわかるようになっている。また、放送チャンネルの領域も同様に、入力変更できないように、トーンダウンして表示される。
【０１０７】
例えば、「同一シリーズの全て」を選択した場合は予約時間帯や放送チャンネル（ＣＨ）が示されている領域は、グレーとなり、自由な入力変更は出来ない（保留される）。
【０１０８】
図１６は、予約情報として構築される番組固有情報の例を示している。予約情報の項目としては、例えば予約名、放送開始日時、録画時間、予約ＩＤ、シリーズＩＤ，予約無効フラグ、画質、優先順位などがある。予約ＩＤは、予約が行なわれる毎に順番に自動的に割り当てられる番号である。ここで、シリーズ予約ＩＤも、シリーズ予約された番組に対して付されるＩＤであり、非シリーズ予約の番組には０が付される。
【０１０９】
図１７は、シリーズ予約が行なわれるときの処理フローを示している。この動作は、シリーズ番組予約・録画制御部３５内における各制御ユニットの結合で実現される。ユーザは、シリーズ予約のために図３の項目「番組表」を選択し、リモコンの決定キーを押す（ステップＳＡ１）。すると、電子番組案内情報から作成された番組表（図４）が表示されるので、ユーザは、所望の番組の領域をカーソルで選択する。そして決定キーを押す（ステップＳＡ２）。これにより、図５に示した画面（予約設定画面）が表示される（ステップＳＡ３）。
【０１１０】
ここで、画面上の「登録」の位置にカーソルが移動され、決定キー２０Ｅがオンされると、選択された番組の番組情報が登録され、録画予約が行なわれる（ステップＳＡ６）。しかし、ここで、画面上の「シリーズ予約」の位置にカーソルを合わせて、決定キーを押すと、まず、表示上の番組情報（番組表上で選択した番組に対応する情報）がまず自動的に登録される（ステップＳＡ５、ＳＡ７）。これは、ユーザが自ら選択した番組は、重要であり、シリーズ番組であることが明白であるからである。
【０１１１】
次に、図６に示した録画設定一覧の画面が表示され、条件を設定するための任意の１行が選択可能となる。ここで、シリーズの条件を設定する条件セット番号が選択される（ステップＳＡ８）と、図７に示した画面が表示される。ここでは、「シリーズ予約」のために必要な番組情報をサーチする条件（キーワード、画質、優先度など）が入力可能となる（ステップＳＡ９）。
【０１１２】
次に、「設定完了」の位置にカーソルが移動され、決定キー２０Ｅがオンされることで「シリーズ予約情報」が登録される（ステップＳＡ１０、ＳＡ１１）。このシリーズ予約情報は、番組表の番組情報と比較され、条件に合致する番組（同シリーズの番組）が検索される。そして、優先順位に従って、予約登録が実行される（ステップＳＡ１２）。
【０１１３】
図１８には、定期的あるいは不定期に番組表を検索し、シリーズ予約している番組情報を追加登録する場合の動作を示すフローチャートである。定期的とは、例えば１日に１回であり、不定期とは、例えば、図１３に示したような番組録画予約テーブルに空きが生じた場合である。この装置は、例えば、３０の番組を録画予約することが可能である。そこで、予約取消しなどが有った場合、予約不要などで予約情報の削除が有った場合、予約録画が完了しその予約情報が消去された場合、余裕が生じる。このような場合にシリーズ予約のための番組情報を検索し、将来放送されるシリーズ番組の録画予約を行なうことができる。
【０１１４】
番組表更新時間になると、番組表を取得する。番組表は、放送波、或いはネットワークを介して取り込むことができる（ステップＳＢ１、ＳＡＢ２、ＳＢ３）。番組表の中にシリーズ予約に該当する番組があるかどうかを検索する。番組表にシリーズ予約に該当する番組の番組情報が存在した場合、すでにその番組情報は登録されているかどうかを判断する（ステップＳＢ４、ＳＢ５）。未登録である場合には、当該番組情報が、信頼できるものであるかどうかを判定する。この判定結果データは、図１１で説明したＳ５に該当する。
【０１１５】
図１８において、ユーザにとって新規な番組であるかどうかが判定される。新規な番組であることが判明したとき、既に予約されている番組の内容と内容の重複がないかどうかを判断する（ステップＳＢ６）。ステップＳＢ６は、これから登録しようとする新規の番組の放送時間帯が、既存他チャンネル（ＣＨ）予約の時間帯と重なっているかどうか、をチェックするものである。
【０１１６】
ステップＳＢ６での処理内容は、内容重複検査（ステップＳＢ５））ではなく、時間重複かどうかである。ここで、重複している場合には、優先度情報が参照され、優先度の高いほうの番組情報が予約登録される（ステップＳＢ７，ＳＢ８）。番組表の全番組ついて、番組表の中にシリーズ予約に該当する番組があるかどうかを検索する。全番組について検索が終了した場合には、処理が終了する（ステップＳＢ９）。
【０１１７】
図１９には、図１９で説明したような“問い合わせコメント”が出力されるときの動作を説明するためのフローチャートである。録画予約一覧表が表示された状態で特定の番組の表示領域（行）が選択され、削除操作が行われると、この番組はシリーズ予約されたものであるかどうかの判定が行なわれる（ステップＳＣ１，ＳＣ２、ＳＣ３）。シリーズ予約でない番組であった場合には、同予約情報を削除する（ステップＳＣ５）。シリーズ予約の番組であった場合には、選択した番組だけの予約削除なのか、選択した番組のシリーズ全体の予約削除なのかを問い合わせる“問い合わせコメント”が表示される。ここで、選択した番組だけの予約削除が選択された場合には、同予約番組の予約無効フラグを無効に設定する（ステップＳＣ７）。選択した番組のシリーズ全体の予約削除が選択された場合には、この番組の番組情報に付随しているシリーズＩＤと同じシリーズＩＤを含む予約番組情報を全て削除する（ステップＳＣ８）。これにより、予約一覧の画面（図９）、が表示される。
【０１１８】
次に、上記した装置が有する特徴的な技術をまとめて記載することにする。図２０は、マイクロコンピュータブロック３０内の制御部をさらに詳しく示す。
【０１１９】
図２０において、ブロック３０内には、シリーズ番組予約・録画制御部３５、ＧＵＩ画面制御部３６、操作入力判別部３７、およびユーザに通知すべき内容を、文字列や小映像（ｉｃｏｎ）等の可視可能な表示として、映像データ記録再生装置の表示部４３、または外部装置として接続される図示しないモニタディスプレイに、ＯＳＤ（オンスクリーンディスプレイ）表示するためのＯＳＤ表示制御部３８が含まれる。なお、ＯＳＤ表示制御部３８は、マイクロコンピュータブロック３０内に一体化される必要はなく、Ｖ（Video）ミキシング部７１の前段までの任意の位置に挿入されてもよいことはいうまでもない。
【０１２０】
シリーズ番組予約・録画制御部３５、ＧＵＩ画面制御部３６に含まれる代表的な制御ブロックをさらに説明すると以下のようになる。
【０１２１】
すなわち、シリーズ番組予約・録画制御部３５は、番組表取得部３５ａ，自動登録部３５ｂ，予約追加処理部３５ｃを含む。またＧＵＩ画面制御部３６は、番組表出力処理部３６ａ，個別番組情報出力部、録画予約テーブル表示処理部、録画予約一覧出力部、コメント出力部、番組検索条件出力部３６ｆ、トップメニュー処理部３６ｇを含む。
【０１２２】
ここで、各部は主として以下に述べるような機能を司る。番組表取得部３５ａは、放送波あるいはネットワークを介して送られてくる番組表を取得する。番組表出力処理部３６ａは、前記番組表を画面に表示する。個別番組情報出力部３６ｂは、番組表の任意の番組名が選択され決定されたとき、当該番組に関するチャンネル、放送時間帯を含む番組情報と、シリーズ予約を行なうための「シリーズ予約」選択項目、通常録画予約を行なうための「登録」選択項目を画面に表示する。自動登録部３５ｂは、前記「シリーズ予約」選択項目が選択されて決定されたとき、前記番組情報をシリーズ予約の情報として自動的に録画予約テーブルに登録する。
【０１２３】
また、最新の前記番組表に、前記シリーズ予約のための新しい番組情報が存在するか否かを定期的或いは不定期に検索し、前記新しい番組情報が存在した場合、予約追加処理部３５ｃは、この情報を前記録画予約テーブルに登録することができる。さらに録画予約テーブル表示処理部３６ｃは、前記録画予約テーブルを画面に表示するとき、録画予約された番組がシリーズ予約されているかどうかを示す識別情報を表示することができる。
【０１２４】
なお、録画予約一覧出力部３６ｄは、録画予約テーブルを画面に表示する。ここで、コメント出力部３６ｅは、録画予約テーブルの表示状態でシリーズ予約されている番組が選択されて削除設定されたとき、同選択された番組の予約のみをキャンセルするのかシリーズ予約の全体をキャンセルするのかの問い合わせコメントを表示する。
【０１２５】
さらに、番組検索条件情報表示部３６ｆは、先の録画予約テーブルで選択されたシリーズ番組を番組検索した条件を画面に表示することができる。なお、コメント出力部３６ｅは，前記条件を変更したしたときに、同選択された番組の予約のみをキャンセルするのかシリーズ予約の全体をキャンセルするのかの問い合わせコメントを表示する。また録画予約情報表示部３６ｈ（図５相当）は、前記条件の中でも変更可能な条件と変更を禁止する条件とを識別させて表示することができる。さらにまたこの発明は、上記した処理を実行するための好適な方法である。
【０１２６】
このように、この発明の記録再生装置においては、シリーズ予約が望まれる番組について、その録画の失敗や別の録画予約との重複等により録画し損なうことを抑止可能で、記録装置の記録容量をいたずらに浪費することがなく、従って、特に１タイトルでも欠落（録画の失敗、停電や装置のトラブルを含む）した場合、ユーザの視聴意欲を損なうことの多いシリーズ番組を、確実に記録できる。
【０１２７】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【０１２８】
【図１】この発明の実施の形態が適用可能な記録再生装置の構成の一例を示す概略図。
【図２】図１に示した記録再生装置に対して、制御コマンド（指示）の入力に利用されるリモートコントローラの一例を示す概略図。
【図３】図１に示した記録再生装置により、モニタ装置に表示され、あるいは外部装置に表示可能に出力される番組ナビ（メインメニュー）画面の一例を示す概略図。
【図４】図３に示した番組ナビ（メインメニュー）画面に引き続いて表示される番組ナビ（全チャンネル一覧）画面の一例を示す概略図。
【図５】図４に示した番組ナビ（全チャンネル一覧）画面に引き続いて表示される番組ナビ（録画予約）画面の一例を示す概略図。
【図６】図５に示した番組ナビ（録画予約）画面に引き続いて表示される番組ナビ（おまかせ自動録画設定一覧）画面の一例を示す概略図。
【図７】図６に示した番組ナビ（おまかせ自動録画設定一覧）画面に引き続いて表示される番組ナビ（おまかせ自動録画設定）画面の一例を示す概略図。
【図８】図３に示した番組ナビ（メインメニュー）画面に引き続いて表示されるシリーズ選択画面の一例を示す概略図。
【図９】図８に示したシリーズ選択画面に引き続いて表示される番組ナビ（シリーズ録画履歴）画面の一例を示す概略図。
【図１０】「自動録画」および「シリーズ予約」のためにＥＰＧ（ＤＥＰＧ）から取得されるデータの一例を示す概略図。
【図１１】図１０に示したＥＰＧからのデータを「シリーズ予約」のために保持する例（録画タイトル情報＜シリーズ録画＞）を示す概略図。
【図１２】図９に示した番組ナビ（シリーズ録画履歴）画面の表示方法すなわち「番組タイトル」の状態遷移を模式的示す概略図。
【図１３】図３に示した番組ナビ（メインメニュー）画面に引き続いて表示される番組ナビ（録画予約一覧（ユーザ予約＋おまかせ自動予約）画面すなわち総ての予約登録を表示する画面の一例を示す概略図。
【図１４】この発明に係る装置の基本的な動作機能を説明する説明図。
【図１５】この発明に係る装置の処理により得られる表示画面の例でありシリーズ予約された番組を削除する場合に得られるコメントの表示画面の例を示す概略図。
【図１６】この発明に係る装置で設定されている番組固有情報の例を示す概略図。
【図１７】この発明に係る装置の動作例を説明するために示したフローチャート。
【図１８】この発明に係る装置の他の動作例を説明するために示したフローチャート。
【図１９】この発明に係る装置のさらに他の動作例を説明するために示したフローチャート。
【図２０】この発明に係る装置のシリーズ番組予約録画制御部の基本的な要部ブロックを示す概略図。
【符号の説明】
【０１２９】
１…ビデオレコーダ（記録再生装置）、３０…マイクロコンピュータブロック（主制御部）、３５…シリーズ番組予約・録画制御部、３６…ＧＵＩ画面制御部、４１ａ，４１ｂ，４１ｃ，４１ｄ，４１ｅ…チューナ，５０…エンコーダ部、６０…デコーダ部、１０１…データプロセッサ、１００１…ディスクドライブ部、２００１…ハードディスク装置。
【図１】
2007104048.tif 000003
【図２】
2007104048.tif 000004
【図３】
2007104048.tif 000005
【図４】
2007104048.tif 000006
【図５】
2007104048.tif 000007
【図６】
2007104048.tif 000008
【図７】
2007104048.tif 000009
【図８】
2007104048.tif 000010
【図９】
2007104048.tif 000011
【図１０】
2007104048.tif 000012
【図１１】
2007104048.tif 000013
【図１２】
2007104048.tif 000014
【図１３】
2007104048.tif 000015
【図１４】
2007104048.tif 000016
【図１５】
2007104048.tif 000017
【図１６】
2007104048.tif 000018
【図１７】
2007104048.tif 000019
【図１８】
2007104048.tif 000020
【図１９】
2007104048.tif 000021
【図２０】
2007104048.tif 000022